(57)【要約】【課題】単一ユニット内で空間的に互いに近接してパッケージされるパッケージングが完成したかどうかを容易に見分けることができる発光ダイオードのパッケージ構造及びこれに用いられる光学素子を提供すること。【解決手段】少なくとも第１〜４面を備えた本体を有する少なくとも３つのレンズ、第１及び第２リード線を有し、対応するレンズの本体に埋め込まれ、第１及び第２リード線が対応するレンズの第３面又は第４面から本体の外側へ延伸する少なくとも３つのＬＥＤチップを含み、少なくとも３つのレンズ及び少なくとも３つのＬＥＤチップは、いずれかのレンズの第１面が少なくとも３つのレンズの残りのレンズの１つの第２面と接触する方式で組み立てられ、少なくとも３つのＬＥＤチップは、実質的に互いに近接した位置に配置されるＬＥＤパッケージ構造を採用する。【選択図】図２
2007318133.tif 000002
【特許請求の範囲】
【請求項１】
少なくとも第１面、第２面、第３面及び第４面を備えた本体を有する少なくとも３つのレンズ、及び
単一色の発光能力を備え、第１リード線及び第２リード線を有し、対応するレンズの前記本体に埋め込まれ、かつ前記第１リード線及び前記第２リード線が前記対応するレンズの前記第３面と前記第４面の中の１つから前記本体の外側へ延伸する少なくとも３つのＬＥＤチップを含み、
前記少なくとも３つのレンズ及び前記少なくとも３つのＬＥＤチップは、いずれかのレンズの前記第１面が前記少なくとも３つのレンズの残りのレンズの１つの前記第２面と接触する方式で組み立てられ、かつ前記少なくとも３つのＬＥＤチップは、実質的に互いに近接した位置に配置されるＬＥＤパッケージ構造。
【請求項２】
前記少なくとも３つのＬＥＤチップは、赤色光を放射する能力を有する少なくとも１つの第１ＬＥＤチップ、青色光を放射する能力を有する少なくとも１つの第２ＬＥＤチップ、又は緑色光を放射する能力を有する少なくとも１つの第３ＬＥＤチップを含む請求項１に記載のＬＥＤパッケージ構造。
【請求項３】
前記いずれかのレンズの前記第１面と、残りの前記少なくとも３つのレンズの１つの前記第２面の間に設置された透明媒体を更に含む請求項１に記載のＬＥＤパッケージ構造。
【請求項４】
各レンズの前記第１面と前記第２面は、対応して埋め込まれたＬＥＤチップより放射された光を屈折することができる請求項１に記載のＬＥＤパッケージ構造。
【請求項５】
各レンズの前記第１面と前記第２面の間は、角度θｉで定義し、ｉは１、２又は３である請求項１に記載のＬＥＤパッケージ構造。
【請求項６】
前記角度θｉは、９０°≦θｉ≦１８０°の関係を満たす請求項５に記載のＬＥＤパッケージ構造。
【請求項７】
各レンズの前記本体の断面形状は、扇形、閉ループ形、三角形、四角形及び多角形から選択される請求項６に記載のＬＥＤパッケージ構造。
【請求項８】
組み立ての時、前記少なくとも３つのレンズより定義された中心軸は、各レンズの前記第１面と前記第２面の交差線に重なり合う請求項７に記載のＬＥＤパッケージ構造。
【請求項９】
組み立ての時、前記少なくとも３つのＬＥＤチップは、実質的に前記中心軸で幾何中心をなしてアレイ状で配列される請求項８に記載のＬＥＤパッケージ構造。
【請求項１０】
前記少なくとも３つのレンズは、透明材料より構成される請求項１に記載のＬＥＤパッケージ構造。
【請求項１１】
前記透明材料は、ガラス、プラスチック、樹脂又はこれらの組み合わせを含む請求項１０に記載のＬＥＤパッケージ構造。
【請求項１２】
少なくとも第１面、第２面、第３面及び第４面を備える本体を有するレンズ、及び
第１リード線及び第２リード線を有し、前記レンズの前記本体に埋め込まれ、かつ前記第１リード線及び前記第２リード線が前記第３面と前記第４面の中の１つから、前記本体の外側へ延伸するＬＥＤチップを含むＬＥＤパッケージ構造のための光学素子。
【請求項１３】
前記ＬＥＤチップは、単色光を放射する能力を有する請求項１２に記載の光学素子。
【請求項１４】
前記レンズの前記第１面及び前記第２面は、前記ＬＥＤチップより放射された光を屈折する請求項１２に記載の光学素子。
【請求項１５】
前記レンズの前記第１面及び前記第２面の間は、角度θを定義する請求項１２に記載の光学素子。
【請求項１６】
前記角度θは、９０°≦θ≦１８０°の関係を満たす請求項１５に記載の光学素子。
【請求項１７】
前記レンズの前記本体の断面形状は、扇形、閉ループ形、三角形、四角形又は多角形からなる請求項１６に記載の光学素子。
【請求項１８】
前記レンズは、透明材料より構成される請求項１２に記載の光学素子。
【発明の詳細な説明】
【技術分野】
【０００１】
本発明は、一般に発光ダイオードに関し、特に、１つ以上の発光ダイオードのパッケージ構造及びその応用に関するものである。
【背景技術】
【０００２】
小型、低消費電力、長寿命の利点により、発光ダイオード（ＬＥＤ）は、家電機器、コンピュータ周辺機器、通信製品、交通信号、カーライトやその他のタイプの応用に広く用いられている。ＬＥＤは、ｐ型層とｎ型層によって直接接合されたｐ−ｎ接合点又はｐ型層とｎ型層によって挟まれた活性層のダブルへテロ接合によって形成された接合ダイオードであり、高濃度にドープされた半導体複合基材の上に設置される。ＬＥＤは、一対のリード線（又はピン）を有し、ｐ型層とｎ型層にそれぞれ接続されて、電源に電気的接続される。このようなＬＥＤのために、光線は、ｐ−ｎ接合点によって、又はｐ型層とｎ型層の間に順電圧を加えた活性層によって放射されることができる。
【０００３】
通常、ＬＥＤは、単一色の光のみ放射する。通信製品の発展に伴って、例えば、携帯電話や液晶ディスプレイは、照明ための液晶分子の白色光を採用する。よって、カラー画像を表示するための及び／又は白色光源を用いた発光ダイオードを提供するためのカラーのＬＥＤパネルを開発することが必要である。白色光源は、赤色、緑色及び青色のＬＥＤの組み合せであり、上述の３色のＬＥＤで組み合わされ、白色光を形成する。このため、３色のＬＥＤ、一般的には、赤色ＬＥＤ、青色ＬＥＤ及び緑色ＬＥＤより組み合わされたＬＥＤのパッケージ組み立て（ｐａｃｋａｇｅ ａｓｓｅｍｂｌｙ）が必要である。
【０００４】
従来、フルカラーのＬＥＤディスプレイを達成するために及び／又はＬＥＤの白色光源を提供するために、赤色ＬＥＤ、青色ＬＥＤ及び緑色ＬＥＤを含んだ少なくとも３色のＬＥＤが組み合わせられ、単一ユニット内で空間的に互いに近接してパッケージされることが必要である。例えば、図９は、従来のＬＥＤパッケージ５００の概略断面図を表しており、白色光源を提供するために、透明樹脂５１０によって赤色ＬＥＤ５５０、青色ＬＥＤ５６０及び緑色ＬＥＤ５７０をその内部に封入されている。このようなＬＥＤパッケージは、赤色ＬＥＤ５５０、青色ＬＥＤ５６０及び緑色ＬＥＤ５７０より放射された光を均一に混合することができる。ＬＥＤは、約０.３ｍｍの大きさの小チップである。従来のＬＥＤのパッケージ組み立てにおいて言えば、ＬＥＤのパッケージ組み立てを見分け、確認することは、非常に時間が掛かり、コストが掛かるプロセスである。他方、ある種のタイプのＬＥＤ、例えば、青色窒化ガリウム（ＧａＮ）又は青みがかった窒化インジウムガリウム（ＩｎＧａＮ）のＬＥＤは、そのｐ−ｎ接合点が表面に非常に近接していることから、静電気によって劣化され易い。仮にＬＥＤのリード線がＬＥＤパッケージの組み立ての中に接触された場合、微小な電流でさえも敏感なＬＥＤを破壊することができる。
【０００５】
特許文献１（ＵＳ２００４／０２４５５９１）には、発光ダイオードのためのパッケージ構造が記載され、該パッケージ構造は、第１部分及び第２部分とを有する導電板、開口を有する導電層、導電板と導電層を電気的に絶縁し、かつ第１部分と第２部分を電気的に絶縁する、導電板と導電層の間に配置された絶縁層、発光ダイオードを支持し、かつ電気的に接続し、第１部分と電気的に連結し、絶縁層の少なくとも一部から電気的に絶縁され、開口を通して絶縁層中に埋め込まれる接続層、第２部分と導電層の少なくとも一部を電気的に連結する通路を含むとされている。そして、このようなパッケージ構造は、優れた熱放散能等を有するとされている。
【０００６】
しかし、この特許文献１に記載の発光ダイオードのためのパッケージ構造においても、単一ユニット内で空間的に互いに近接してパッケージされるパッケージングが完成したかどうかを容易に見分けることができず、非常に時間が掛かり、コストが掛かるという上記課題を有するものであった。
【０００７】
【特許文献１】ＵＳ２００４／０２４５５９１
【発明の開示】
【発明が解決しようとする課題】
【０００８】
従って、本発明の目的は、単一ユニット内で空間的に互いに近接してパッケージされるパッケージングが完成したかどうかを容易に見分けることができる発光ダイオードのパッケージ構造及びそれに用いられる光学素子を提供することにある。
【課題を解決するための手段】
【０００９】
本発明は、ＬＥＤパッケージ構造に関する。１つの実施形態では、ＬＥＤパッケージ構造は、少なくとも３つのレンズを含む。各レンズは、本体を有し、本体は、第１面、第２面、第３面及び第４面を備える。ＬＥＤパッケージ構造は、少なくとも３つのＬＥＤチップを更に含み、各ＬＥＤチップは、単一色の発光能力を備え、第１リード線及び第２リード線を有する。また、各ＬＥＤチップは、対応するレンズの本体に埋め込まれ、第１リード線及び第２リード線が対応するレンズの第３面と第４面の中の１つから、本体の外側へ延伸する。
【００１０】
１つの実施形態では、各レンズの本体の断面形状は、扇形、閉ループ形、三角形、四角形及び多角形から選択される。各レンズの第１面と第２面の間は、角度θｉを定義し、角度θｉは、９０°≦θｉ≦１８０°の関係を満たし、ｉ＝１、２又は３である。１つの実施形態では、各レンズの第１面と第２面は、対応して埋め込まれたＬＥＤチップより放射された光を屈折することができる。各レンズは、透明材料より構成される。１つの実施形態では、透明材料は、ガラス、プラスチック、樹脂又はこれらの組み合わせを含む。
【００１１】
１つの実施形態では、少なくとも３つのＬＥＤチップは、赤色光を放射する能力を有する少なくとも１つの第１ＬＥＤチップ、青色光を放射する能力を有する少なくとも１つの第２ＬＥＤチップ及び緑色光を放射する能力を有する少なくとも１つの第３ＬＥＤチップを含む。
【００１２】
少なくとも３つのレンズと少なくとも３つのＬＥＤチップが組み立てられる時、いずれかのレンズの第１面が少なくとも３つのレンズの残りのレンズの１つの第２面と接触し、かつ少なくとも３つのＬＥＤチップは、実質的に互いに近接した位置に位置される。組み立てられる時、少なくとも３つのレンズより定義された中心軸は、各レンズの第１面と第２面の交差線に重なり合い、かつ少なくとも３つのＬＥＤチップは、実質的に中心軸で幾何中心をなしてアレイ状で配列される。
【００１３】
また、ＬＥＤパッケージ構造は、いずれかのレンズの第１面と、少なくとも３つのレンズの残りのレンズの１つの第２面の間に設置された透明媒体を含むことができる。
【００１４】
また、本発明は、ＬＥＤパッケージ構造に用いる光学素子に関する。１つの実施形態では、光学素子はレンズを含む。レンズは本体を有し、本体は第１面、第２面、第３面及び第４面を備える。また、ＬＥＤチップを更に含み、ＬＥＤチップは、第１リード線及び第２リード線を有する。ＬＥＤチップは、レンズの本体に埋め込まれ、第１リード線及び第２リード線は、第３面と第４面の中の１つから、本体の外側へ延伸する。
【００１５】
レンズの本体の断面形状は、扇形、閉ループ形、三角形、四角形及び多角形から選択される。各レンズの第１面と第２面の間は、角度θを定義し、角度θは９０°≦θ≦１８０°の関係を満たす。実施形態では、レンズの第１面及び第２面は、ＬＥＤチップより放射された光を屈折することができ、レンズは透明材料より構成される。透明材料は、ガラス、プラスチック、樹脂又はこれらの組み合わせを含む。
【発明の効果】
【００１６】
本発明の発光ダイオードのパッケージ構造によれば、従来の欠点を改善し、単一ユニット内で空間的に互いに近接してパッケージされるパッケージングが完成したかどうかを容易に見分けることができる。
【発明を実施するための最良の形態】
【００１７】
本発明についての目的、特徴、長所が一層明確に理解されるよう、以下に実施形態を例示し、図面を参照にしながら、詳細に説明する。
【００１８】
本発明の具体的な実施形態に関する説明は、図１〜８の添付図面と関連して対応し、本発明の目的に基づき、それを具体化し、広く記述するものである。また、本発明は、１つ以上の光学素子を有するＬＥＤパッケージ構造に関するものである。
【００１９】
図１を参照するに、図１は、本発明の実施形態のＬＥＤパッケージ構造に用いる光学素子１００である。光学素子１００は、第１面１１２、第２面１１４、第３面１１６及び第４面１１７をもつ本体１１８を有するレンズ１１０と、第１リード線及び第２リード線を有するＬＥＤチップ（図示せず）とを備える。第４面１１７は、第１面１１２、第２面１１４及び第３面１１６と交差する。ＬＥＤチップは、レンズ１１０の本体１１８に埋め込まれ、第１リード線及び第２リード線は、レンズ１１０の第３面１１６及び第４面１１７の１つから本体１１８の外側へ延伸する。レンズ１１０の第１面１１２及び第２面１１４は、ＬＥＤチップより放射された光を屈折することができる。レンズ１１０の本体１１８の断面形状は扇形である。また、レンズ１１０の本体１１８の断面形状は閉ループ形、三角形、四角形又は多角形からなることもできる。レンズ１１０の第１面１１２及び第２面１１４は、交差線１１５を形成し、第１面１１２と第２面１１４は、夾角θを定義し、夾角θの範囲は１８０°より大きくなく、９０°より小さくない。図１に示されるように、夾角θの角度は、約１２０°である。また、レンズ１１０は、透明材料から構成されることができ、透明材料は、ガラス、プラスチック、樹脂等を含む。図１に示されるように、本体１１８は、第５面１１９を更に含む。第５面１１９は、第１面１１２、第２面１１４及び第４面１１７と交差する。
【００２０】
ＬＥＤチップは、第１リード線及び第２リード線によって電源に電気的接続され、電力を供給して発光する。通常、ＬＥＤチップは、単一色の光を放射することしかできない。
【００２１】
図２〜４を参照するに、本発明の実施形態のＬＥＤパッケージ構造２００である。ＬＥＤパッケージ構造２００は、３つのレンズ２１０、２２０及び２３０を含む。各レンズ２１０（２２０、２３０）は、本体２１８（２２８、２３８）を有し、本体２１８（２２８、２３８）は、少なくとも第１面２１２（２２２、２３２）、第２面２１４（２２４、２３４）、第３面（図示せず）及び第４面２１７（２２７、２３７）を含む。
【００２２】
図２及び３に示されるように、各レンズ２１０（２２０、２３０）の本体２１８（２２８、２３８）は、扇形の断面を有する。各レンズ２１０（２２０、２３０）の第１面２１２（２２２、２３２）と第２面２１４（２２４、２３４）の間は、交差線２１５（２２５、２３５）と夾角θｉを定義し、夾角θｉは９０°≦θｉ≦１８０°（ｉ＝１、２、３）の関係を満たし、各夾角θ１、θ２及びθ３は、実質的に同一又は異なる。図２〜４に示す実施形態では、各夾角θ１、θ２及びθ３は実質的に同じであり、それぞれ約１２０°である。各レンズ２１０（２２０、２３０）の第１面２１２（２２２、２３２）及び第２面２１４（２２４、２３４）は、対応して埋め込まれたＬＥＤチップより放射された光を屈折することができる。各レンズ２１０（２２０、２３０）は、透明材料より構成されることができ、透明材料は、ガラス、プラスチック、樹脂等を含む。
【００２３】
ＬＥＤパッケージ構造２００は、３つのＬＥＤチップ２５０（２６０、２７０）を更に含む。各ＬＥＤチップ２５０（２６０、２７０）は、第１リード線２５０ａ（２６０ａ、２７０ａ）及び第２リード線２５０ｂ（２６０ｂ、２７０ｂ）を有する。各ＬＥＤチップ２５０（２６０、２７０）は、対応する各レンズ２１０（２２０、２３０）の本体２１８（２２８、２３８）に埋め込まれる。第１リード線２５０ａ（２６０ａ、２７０ａ）及び第２リード線２５０ｂ（２６０ｂ、２７０ｂ）は、対応する各レンズ２１０（２２０、２３０）の第３面及び第４面２１７（２２７、２３７）の中の１つから、本体２１８（２２８、２３８）の外側へ延伸する。各ＬＥＤチップ（２５０、２６０、２７０）は、対応する交差線（２１５、２２５、２３５）に近接した位置に、放射状に設置される。各ＬＥＤチップ２５０（２６０、２７０）に対応する第１リード線２５０ａ（２６０ａ、２７０ａ）及び第２リード線２５０ｂ（２６０ｂ、２７０ｂ）は、電源に電気的接続され、対応するＬＥＤチップ２５０（２６０、２７０）に電力を供給する。各ＬＥＤチップ２５０（２６０、２７０）は、単一色の光を放射することしかできない。図２〜４に示される本実施形態では、ＬＥＤチップ２５０は、赤色光を放射する能力を備えており、ＬＥＤチップ２６０は、青色光を放射する能力を備えており、ＬＥＤチップ２７０は、緑色光を放射する能力を備えている。
【００２４】
図３及び４に示されるように、レンズ２１０、２２０及び２３０と対応するＬＥＤチップ２５０、２６０及び２７０とが組み立てられることができる。組み立ての時、レンズ２１０の第１面２１２は、レンズ２３０の第２面２３４と接触し、レンズ２２０の第１面２２２は、レンズ２１０の第２面２１４と接触し、レンズ２３０の第１面２３２は、レンズ２２０の第２面２２４と接触する。対応するＬＥＤチップ２５０、２６０及び２７０は、実質的に互いに近接した位置に設置される。組み立ての時、レンズ２１０、２２０及び２３０は、中心軸２５０を定義することができる。中心軸２０５は、各レンズ２１０（２２０、２３０）の第１面２１２（２２２、２３２）と第２面２１４（２２４、２３４）の交差線２１５（２２５、２３５）と互いに重なり合い、３つのＬＥＤチップ２５０、２６０及び２７０は、実質的に中心軸２０５で幾何中心をなしてアレイ状で配列される。
【００２５】
レンズ２１０（２２０、２３０）とＬＥＤチップ２５０（２６０、２７０）もその他の方式を用いて組み立てられ、ＬＥＤパッケージ構造を形成することができる。例えば、図２に示されるように、レンズ２１０の第１面２１２とレンズ２３０の第２面２３４の間に間隙２８１を形成する方式で組み立てられ、レンズ２２０の第１面２２２とレンズ２１０の第２面２１４の間に間隙２８３を形成する方式で組み立てられ、レンズ２３０の第１面２３２とレンズ２２０の第２面２２４の間に間隙２８５を形成する方式で組み立てられる。間隙２８１、２８３及び２８５は、透明媒体で充填されることができる。
【００２６】
図５及び６は、本発明のＬＥＤパッケージ構造３００の２つの異なる実施形態をそれぞれ表している。ＬＥＤパッケージ構造３００は、４つのレンズ３１０、３２０、３３０ａ及び３３０ｂと４つのＬＥＤチップ３５０、３６０、３７０ａ及び３７０ｂとを有し、４つのＬＥＤチップ３５０、３６０、３７０ａ及び３７０ｂは、４つのレンズ３１０、３２０、３３０ａ及び３３０ｂの中にそれぞれ埋め込まれている。ＬＥＤチップ３５０及び３６０は、赤色光及び青色光をそれぞれ放射することができ、ＬＥＤチップ３７０ａ及び３７０ｂは、緑色光を放射することができる。その他のＬＥＤチップの組み合わせ方式も本発明に用いられることができる。例えば、４つのＬＥＤチップをＬＥＤパッケージ構造に配置する時の１つの組み合わせ方式は、１つの赤色光を放射するＬＥＤチップ、１つの緑色光を放射するＬＥＤチップ及び２つの青色光を放射するＬＥＤチップを組み合わせる方式。もう１つの組み合わせ方式は、１つの青色光を放射するＬＥＤチップ、１つの緑色光を放射するＬＥＤチップ及び２つの赤色光を放射するＬＥＤチップを組み合わせる方式である。図５及び６に示されるように、４つのレンズ３１０、３２０、３３０ａ及び３３０ｂは、同じ三角形の断面を有する。各レンズ３１０、３２０、３３０ａ及び３３０ｂは第１面及び第２面を有する。図６は、レンズの第１面が４つのレンズの残りの１つの第２面と接触している実施形態を表している。図５は、いくらかの変化があり、即ち、１つのレンズの第１面と４つのレンズの残りのレンズの１つの第２面との間に透明媒体が設置されている。
【００２７】
図７及び８は、本発明のＬＥＤパッケージ構造４００の２つの異なる実施形態をそれぞれ表している。ＬＥＤパッケージ構造４００は、３つのレンズ４１０、４２０及び４３０にそれぞれ埋め込まれた３つのＬＥＤチップ４５０、４６０及び４７０を含む。各レンズ４１０（４２０、４３０）は、本体４１８（４２８、４３８）を有し、本体４１８（４２８、４３８）は、少なくとも第１面４１２（４２２、４３２）と第２面４１４（４２４、４３４）とを含む。図７及び８に示されるように、各レンズ４１０（４２０、４３０）の本体４１８（４２８、４３８）は、長方形の断面を有し、レンズ４１０（４２０、４３０）の第１面４１２（４２２、４３２）と第２面４１４（４２４、４３４）の間は、交差線４１５（４２５、４３５）と夾角θ１（θ２、θ３）を有し、夾角θ１は１８０°であり、夾角θ２は９０°であり、夾角θ３は９０°である。言い換えれば、レンズ４１０の第１面４１２及び第２面４１４は、実質的に同じ平面上にある。本実施形態の図７及び８では、ＬＥＤチップ４５０は、赤色光を放射する能力を備えており、ＬＥＤチップ４６０は、青色光を放射する能力を備えており、ＬＥＤチップ４７０は、緑色光を放射する能力を備えている。
【００２８】
図８に示されるように、レンズ４１０、４２０及び４３０と対応するＬＥＤチップ４５０、４６０及び４７０とが組み立てられることができる。組み立ての時、レンズ４１０の第１面４１２は、レンズ４３０の第２面４３４と接触し、レンズ４２０の第１面４２２は、レンズ４１０の第２面４１４と接触し、レンズ４３０の第１面４３２は、レンズ４２０の第２面４２４と接触する。対応するＬＥＤチップ４５０、４６０及び４７０は、実質的に互いに近接した位置に設置され、アレイ状で配列され、幾何中心を有する。組み立ての時、レンズ４１０、４２０及び４３０は、ＬＥＤチップアレイの幾何中心と重なり合う中心軸４０５を定義する。
【００２９】
図７は、もう１つの実施形態のＬＥＤパッケージ構造４００を表しており、レンズ４１０（４２０、４３０）とＬＥＤチップ４５０（４６０、４７０）は、下記の方式で組み立てられることができる。即ち、レンズ４１０の第１面４１２とレンズ４３０の第２面４３４の間に間隙４８１を形成する方式で組み立てられ、レンズ４２０の第１面４２２とレンズ４１０の第２面４１４の間に間隙４８３を形成する方式で組み立てられ、レンズ４３０の第１面４３２とレンズ４２０の第２面４２４の間に間隙４８５を形成する方式で組み立てられる。間隙４８１、４８３及び４８５は、透明媒体で充填されることができる。
【００３０】
以上、本発明の好適な実施形態を例示したが、これは本発明を限定するものではなく、本発明の精神及び範囲を逸脱しない限りにおいては、当業者であれば行い得る少々の変更や修飾を付加することは可能である。
【産業上の利用可能性】
【００３１】
本発明は、単一ユニット内で空間的に互いに近接してパッケージされる発光ダイオードのパッケージングが完成したかどうかを容易に見分けることができるため、発光ダイオードのパッケージが用いられる白色光を採用する携帯電話や液晶ディスプレイ等に広く用いることができる。
【図面の簡単な説明】
【００３２】
【図１】図１は、本発明の１つの実施形態に基づいた光学素子の概略斜視図である。
【図２】図２は、本発明の１つの実施形態に基づいたＬＥＤパッケージ構造の概略断面図である。
【図３】図３は、本発明のもう１つの実施形態に基づいたＬＥＤパッケージ構造の概略断面図である。
【図４】図４は、図３に示す本発明のＬＥＤパッケージ構造の概略斜視図である。
【図５】図５は、本発明の１つの実施形態に基づいたＬＥＤパッケージ構造の概略断面図である。
【図６】図６は、本発明のもう１つの実施形態に基づいたＬＥＤパッケージ構造の概略断面図である。
【図７】図７は、本発明の１つの実施形態に基づいたＬＥＤパッケージ構造の概略断面図である。
【図８】図８は、本発明のもう１つの実施形態に基づいたＬＥＤパッケージ構造の概略断面図である。
【図９】図９は、従来のＬＥＤパッケージ構造の概略断面図である。
【符号の説明】
【００３３】
１００：光学素子
１１０、２１０、２２０、２３０、３１０、３２０、３３０ａ、３３０ｂ、４１０、４２０、４３０：レンズ
１１２、２１２、２２２、２３２、４１２、４２２、４３２：第１面
１１４、２１４、２２４、２３４、４１４、４２４、４３４：第２面
１１５、２１５、２２５、２３５、４１５、４２５、４３５：交差線
１１６：第３面
１１７、２１７、２２７、２３７：第４面
１１８、２１８、２２８、２３８、４１８、４２８、４３８：本体
１１９：第５面
θ、θ１、θ２、θ３：夾角
２００、３００、４００：ＬＥＤパッケージ構造
２０５、４０５：中心軸
２５０、２６０、２７０、３５０、３６０、３７０ａ、３７０ｂ、４５０、４６０、４７０：ＬＥＤチップ
２５０ａ、２６０ａ、２７０ａ：第１リード線
２５０ｂ、２６０ｂ、２７０ｂ：第２リード線
２８１、２８３、２８５、４８１、４８３、４８５：間隙
５００：従来のＬＥＤパッケージ構造
５１０：透明樹脂
５５０：赤色ＬＥＤ
５６０：青色ＬＥＤ
５７０：緑色ＬＥＤ
【図１】
2007318133.tif 000003
【図２】
2007318133.tif 000004
【図３】
2007318133.tif 000005
【図４】
2007318133.tif 000006
【図５】
2007318133.tif 000007
【図６】
2007318133.tif 000008
【図７】
2007318133.tif 000009
【図８】
2007318133.tif 000010
【図９】
2007318133.tif 000011